(57)【要約】【課題】  野外での携帯電話機の電池切れに対応可能な携帯電話機の充電電池で、携帯電話機付属の充電装置以外の充電装置にて充電できるようなコネクターを備えた、携帯電話機用充電電池を提供する。【解決手段】  充電電池本体のメス型コネクターに携帯電話機付属の充電装置以外の充電装置のオス型コネクターを接続することにより、携帯電話機充電用二次電池が充電される。また、充電電池本体のオス型コネクターを携帯電話機のメス型コネクターに接続することにより、携帯電話機の内蔵二次電池が充電される。【選択図】図１
2012139095.tif 000002
【特許請求の範囲】
【請求項１】
携帯電話機の内蔵二次電池を充電する携帯電話機用充電電池であって、
充電電池本体と、
前記充電電池本体に内蔵された携帯電話機充電用二次電池と、
前記充電電池本体に直に設けられ、前記携帯電話機の充電用電源端子を含むメス型コネクターに接続可能なオス型コネクターと、
前記充電電池本体に設けられ、前記携帯電話機付属の充電装置以外の充電装置のオス型コネクターが接続可能なメス型コネクターと、を備え、
前記充電電池本体のメス型コネクターに前記携帯電話機付属の充電装置以外の充電装置のオス型コネクターを接続することにより、前記携帯電話機充電用二次電池が充電されるように構成され、前記充電電池本体のオス型コネクターを前記携帯電話機のメス型コネクターに接続することにより、前記携帯電話機の内蔵二次電池が充電されるように構成したことを特徴とする携帯電話機用充電電池。
【発明の詳細な説明】
【技術分野】
【０００１】  本発明は、携帯電話機の充電用電源端子を含むメス型コネクターに接続することで、携帯電話機の内蔵二次電池を充電する為の携帯電話機用充電電池に関するものである。
【背景技術】
【０００２】  従来より携帯電話機の内蔵二次電池を充電する為の装置として、携帯電話機本体の付属品として販売される充電装置が広く利用されている。この充電装置は，家庭用電源である交流１００ボルトを直流に整流するとともに、携帯電話機用の所定電圧に下げる変圧器と、その出力を携帯電話機の充電用電源端子を含むメス型コネクターに接続可能なオス型コネクターを備えている。また、前記オス型コネクタ−を備え、一次電池を使用した携帯電話機用充電機も使用されている（例えば、特許文献１参照。）。
【先行技術文献】
【特許文献】
【０００３】
【特許文献１】  特開平１１−０４６４５３号公報
【発明の概要】
【発明が解決しようとする課題】
【０００４】  しかしながら、前者の有線タイプ携帯電話用充電装置は、家庭用電源や車の電源等を必要とするため、屋外で携帯電話機の電池が切れた場合のような緊急時では電源がないため、再充電には利用できないものであった。後者の一次電池を使用した携帯電話機用充電機は、一次電池を使用している為、使用後は、捨てるか、新しい電池を入れ換える必要があった。
【課題を解決するための手段】
【０００５】  上記問題を解決するため、本発明に係る携帯電話機用充電電池は、携帯電話機の内蔵二次電池を充電する携帯電話機用充電電池であって、充電電池本体と、前記充電電池本体に内蔵された携帯電話機充電用二次電池と、前記充電電池本体に直に設けられ、前記携帯電話機の充電用電源端子を含むメス型コネクターに接続可能なオス型コネクターと、前記充電電池本体に設けられ、前記携帯電話機付属の充電装置以外の充電装置のオス型コネクターが接続可能なメス型コネクターと、を備え、前記充電電池本体のメス型コネクターに前記携帯電話機付属の充電装置以外の充電装置のオス型コネクターを接続することにより、前記携帯電話機充電用二次電池が充電されるように構成され、前記充電電池本体のオス型コネクターを前記携帯電話機のメス型コネクターに接続することにより、前記携帯電話機の内蔵一次電池が充電されるように構成したことを特徴とする。
【発明の効果】
【０００６】  本発明によれば、携帯電話機の充電用電源端子を含むメス型コネクターに接続可能なオス型コネクターを備えており、電池切れ時に本発明品を接続する事により携帯電話を何処でも充電できる。また、携帯電話機付属の充電装置以外の充電装置のオス型コネクターに接続可能なメス型コネクターを備えることで携帯電話機付属の充電装置以外の充電装置を使用して繰り返し充電が出来る。
【図面の簡単な説明】
【０００７】
【図１】  本発明に係る一実施形態の携帯電話機用充電電池の一例を示す斜視図である。
【図２】  本実施形態の携帯電話機用充電電池の内部回路の一例を示す構成図である。
【発明を実施するための形態】
【０００８】  以下に，本発明に係る一実施形態の携帯電話機用充電電池を添付図面に基づいて説明する。図１及び図２に示すように、本実施形態の一例の携帯電話機用充電電池１００は、携帯電話機２００の内蔵二次電池を充電するものである。携帯電話機用充電電池１００は、充電電池本体１０１と、充電電池本体１０１に内蔵された携帯電話機充電用二次電池１２０と、充電電池本体１０１に直に設けられ、携帯電話機２００の充電用電源端子を含むメス型コネクター２０に接続可能なオス型コネクター１１と、充電電池本体１０１に設けられ、携帯電話機２００付属の充電装置以外の充電装置３１０のオス型コネクター３０が接続可能なメス型コネクター１２とを備えている。
【０００９】  オス型コネクター１１は、充電電池本体１０１の一端面に直に設けられている。充電電池本体１０１のオス型コネクター１１が設けられている端面と反対側の端面には、携帯電話機２００付属の充電装置のオス型コネクター３０に接続可能な形状のメス型コネクター１２が設けられている。メス型コネクター２０，１２及び、オス型コネクター１１，３０は、それぞれに充電用電源端子を含んでいる。
【００１０】  携帯電話機２００付属の充電装置以外の充電装置３１０は、携帯電話機２００付属の充電装置のオス型コネクター３０と同等品を具備するシガレットプラグ等より電源を供給されるタイプの充電装置３１０である。すなわち、携帯電話機２００付属の充電装置以外の充電装置３１０は、携帯電話機２００付属の充電装置及びこの携帯電話機２００付属の充電装置と同等品以外の充電装置である。
【００１１】  以下に．本発明の内部構成について説明する。充電電池本体１０１のメス型コネクター１２の充電電源端子は、内蔵二次電池１２０の充電に必要な電圧に変更、調節する制御回路１１０を通り、内蔵二次電池１２０につながっている。また、内蔵二次電池１２０は、携帯電話機２００の内蔵二次電池を充電するための電圧を制御する制御回路１３０を通り、携帯電話機２００に接続可能なオス型コネクター１１に繋がっている。
【００１２】  これにより、充電電池本体１０１のメス型コネクター１２に携帯電話機付属の充電装置以外の充電装置３１０のオス型コネクター３０を接続することにより、携帯電話機充電用二次電池１２０が充電される。また、充電電池本体１０１のオス型コネクター１１を携帯電話機２００のメス型コネクター２０に接続することにより、携帯電話機２００の内蔵二次電池が充電される。
【００１３】  したがって、本発明に係る携帯電話機用充電電池１００は、携帯電話機２００のメス型コネクター２０に接続可能なオス型コネクター１１を備え、携帯性にも優れるので、野外での携帯電話機２００の電池切れに対応可能となる。
【００１４】  また、オス型コネクター１１が充電電池本体１０１に直に設けられていることで、携帯電話機２００の充電を簡単に行える。すなわち、充電電池を用いて充電を行う場合、オス型コネクターが充電電池本体に例えば可撓部を介して設けられていると、オス型コネクターを一方の手の指を使って掴みこのオス型コネクターを携帯電話機のメス型コネクターに接続することになる。このように、オス型コネクターを一方の手の指を使って掴むと、オス型コネクターが可撓部を介して充電電池本体に設けられているから、充電電池本体を支える必要があるが、通常、他方の手は携帯電話機を掴むために、充電電池本体を手で掴むことができない。このため、充電を行うときには、充電電池本体を机の上等に置いたりしなければならず制約を受け、携帯電話機の充電を簡単に行えない。これに対して、本発明に係る携帯電話機用充電電池１００では、オス型コネクター１１が充電電池本体１０１に直に設けられていることで、充電電池本体１０１を一方の手の指を使って掴みこの充電電池本体１０１に直に設けられているオス型コネクター１１を携帯電話機２００のメス型コネクター２０に接続できるので、携帯電話機２００の充電を簡単に行える。
【符号の説明】
【００１５】  １００  携帯電話機用充電電池
１０１  充電電池本体
１１  充電電池オス型コネクター
１２  充電電池メス型コネクター
２００  携帯電話機
２０  携帯電話機メス型コネクター
３１０  シガレットプラグタイプ携帯電話機充電装置
３０  充電装置オス型コネクター
１１０  内蔵二次電池充電用制御回路
１２０  内蔵二次電池
１３０  出力電圧制御回
【図１】
2012139095.tif 000003
【図２】
2012139095.tif 000004